(57)【要約】【課題】ノートパソコンの液晶表示画面を外力や衝撃から保護して、液晶表示画面に傷が付いたり損傷したりするのを良好に防止することのできる液晶表示画面保護ボードを提供する。またこの液晶表示画面保護ボードは簡単に脱着できるものとする。【解決手段】液晶表示画面保護ボード２６を、透光性且つ非可撓性の硬質のプラスチック製の部材で構成する。その液晶表示画面保護ボード２６には、周縁のフレーム２２の上面に係止する折曲げ部３０を係止部として備えておき、これをその上面に係止することで、液晶表示画面２０を覆う状態に装着して液晶表示画面２０を保護する。【選択図】        図１
2005024753.tif 000002
【特許請求の範囲】
【請求項１】
透光性且つ非可撓性の硬質のプラスチック製の部材であって、ノートパソコンの液晶表示画面周縁のフレームの上面又は上部前面の爪を被係止部として該被係止部に係止する係止部を備え、該フレームの外面から該係止部を該被係止部に係止させることで該液晶表示画面を覆う状態に装着されて該液晶表示画面を保護するノートパソコンの液晶表示画面保護ボード。
【請求項２】
請求項１において、前記液晶表示画面を覆う保護ボード本体の上端部より裏側に曲げられた曲げ部にて前記係止部が構成されており、該係止部を該フレームの上面に係止させて該液晶表示画面を覆う装着状態を保持するように成してあることを特徴とするノートパソコンの液晶表示画面保護ボード。
【請求項３】
請求項１，２の何れかにおいて、前記フレームの前記上部前面の爪に対応する位置に該爪を挿入させる凹部が設けてあることを特徴とするノートパソコンの液晶表示画面保護ボード。
【請求項４】
請求項１〜３の何れかにおいて、前記フレームの左右の側面位置に、裏側に曲げられた一対の曲げ部を更に備えていることを特徴とするノートパソコンの液晶表示画面保護ボード。
【発明の詳細な説明】
【０００１】
【発明の属する技術分野】
この発明はノートパソコンの液晶表示画面保護ボードに関する。
【０００２】
【従来の技術及び発明が解決しようとする課題】
ノートパソコン（ノートサイズ・パーソナル・コンピュータ）は、デスクトップ型パソコンに比べて小型且つ軽量で携行が可能な利便性の高いものであり、家庭では場所を取らないノートパソコンが広く普及している。
しかしながら、このノートパソコンの液晶表示画面は脆弱で衝撃に弱く、破損或いは傷付き易いといった問題を有している。
【０００３】
従って例えば生活空間，遊び空間の混在した環境でこのノートパソコンを使用する場合、子供や幼児等がこれに触れて傷付けたりしないように気を遣う必要があり、またペットが液晶表示画面に触れてこれを傷付けたりしないように気を遣ったりしなければならない。
【０００４】
或いは液晶表示画面を見ながら人と相談を行ったりしている際に、他人に液晶表示画面を触られて傷付けられたりしないように気を遣わなければならない。
【０００５】
また職場で液晶表示画面を開いたまま席を離れたりする場合にも、その間に何人かによって液晶表示画面が触られて傷付いてしまわないように気懸かりであったりする問題があり、さりとて一々液晶表示画面を折り畳み閉じておくといったことも面倒である。
【０００６】
このようにノートパソコンの液晶表示画面は元々脆弱であるといった問題があり、このようなことから従来液晶表示画面を保護するための保護フィルムが市販されている。
【０００７】
しかしながら従来市販されているものは薄いフィルム状のものであって、その使用に際しては液晶表示画面に粘着テープ等で貼り付けなければならず、その操作が面倒な上、この薄い保護フィルムは万一の衝撃には十分耐えられず、不十分であるとともに、粘着テープの貼着部分で画質が劣化したり、フィルムを剥がしたときにその粘着テープの跡が残ってしまったりする不都合がある。
【０００８】
このような課題の解決を目的として、下記特許文献１には厚さ０．２〜０．４ｍｍの透明な保護シートの周辺部に突出状の差込部分を設けて、その差込部分を液晶表示画面と周縁のフレームとの間の間隙に差し込んで、かかる保護シートを液晶表示画面を覆う状態に装着し、これを保護するようになした点が開示されている。
【０００９】
しかしながらこの特許文献１に開示のものは、液晶表示画面と周縁のフレームとの間の間隙に挿入され、取付保持される厚みの薄いものであって、従来のフィルムと同様に衝撃等から液晶表示画面を保護するためのものとしては尚不十分であるとともに、液晶表示画面とフレームとの間に挿入して取り付けるものであるため、着脱作業が必ずしも簡単にできない等の問題がある。
【００１０】
【特許文献１】
実用新案登録第３０６２９４６号公報
【００１１】
【課題を解決するための手段】
本発明のノートパソコンの液晶表示画面保護ボードはこのような課題を解決するために案出されたものである。
而して請求項１のものは、透光性且つ非可撓性の硬質のプラスチック製の部材であって、ノートパソコンの液晶表示画面周縁のフレームの上面又は上部前面の爪を被係止部として該被係止部に係止する係止部を備え、該フレームの外面から該係止部を該被係止部に係止させることで該液晶表示画面を覆う状態に装着されて該液晶表示画面を保護することを特徴とする。
【００１２】
請求項２のものは、請求項１において、前記液晶表示画面を覆う保護ボード本体の上端部より裏側に曲げられた曲げ部にて前記係止部が構成されており、該係止部を該フレームの上面に係止させて該液晶表示画面を覆う装着状態を保持するように成してあることを特徴とする。
【００１３】
請求項３のものは、請求項１，２の何れかにおいて、前記フレームの前記上部前面の爪に対応する位置に該爪を挿入させる凹部が設けてあることを特徴とする。
【００１４】
請求項４のものは、請求項１〜３の何れかにおいて、前記フレームの左右の側面位置に、裏側に曲げられた一対の曲げ部を更に備えていることを特徴とする。
【００１５】
【作用及び発明の効果】
以上のように本発明は、ノートパソコンの液晶表示画面保護ボードを透光性且つ非可撓性の硬質のプラスチック製の部材となして、これに設けた係止部をフレームの上面又は上部前面の爪を被係止部としてフレームの外面から係止させ、以って液晶表示画面を覆う状態に装着するように成したものである。
【００１６】
かかる本発明の保護ボードは、非可撓性の硬質のプラスチック製の部材であるため、液晶表示画面に加えられる外力や衝撃等からかかる液晶表示画面を十分に保護して、それら外力や衝撃等によって液晶表示画面が傷付いたり破損したりするのを良好に防止することができる。
【００１７】
この保護ボードは、周縁のフレームの上面に係止させることで、或いは液晶表示画面を折畳み状態且つ閉止状態にロックするための、フレームの上部前面から突出する爪に係止させることで、開かれた液晶表示画面に簡単に取り付けることができ、また液晶表示画面を閉じるときにおいても簡単にこれから取り外すことができる。
【００１８】
即ち本発明の保護ボードは、液晶表示画面を開いた段階で、使用時にのみ装着されてこれを保護するものであり、そのためかかる保護ボードを、厚みが厚く高強度の部材となすことができ、外力や衝撃から液晶表示画面を有効に保護することができる。
【００１９】
また液晶表示画面を開いた状態で取り付けられてこれを保護するものであるため、かかる保護ボードを液晶表示画面よりも大きく、即ちフレームに到るまでの大きさで形成することもできる。
【００２０】
かかる本発明は、液晶表示画面を開いた状態でこれを取り付けて使用するものであるため、装着状態のままで液晶表示画面が閉じられるようにするための特別の工夫をする必要もないし、それにより受ける制限もなく、それ故取付構造を簡単な構造となし得て着脱を簡単に行うことが可能となる。
【００２１】
本発明においては、保護ボード本体の上端部より裏側への曲げ部を設けて係止部となし、これをフレームの上面に係止させて保護ボードを液晶表示画面を覆う状態に装着するようになすことができる（請求項２）。
このようになしておけば、極めて簡単に保護ボードを液晶表示画面に装着することができ、また簡単にこれを外すことができる。
【００２２】
ここでその係止部をなす曲げ部は直角の折曲げ部となしておくことができる。
またこの曲げ部はボード全幅に亘って連続した形態で設けておくことができる。
【００２３】
通常ノートパソコンは、液晶表示部の周縁のフレームから、これを折り畳んだときに閉止状態にロックするための爪が突出している。
【００２４】
ここにおいて請求項３のものは、その爪に対応する位置に爪を挿入させる凹部を保護ボードに設けたもので、このようになしておくことで、保護ボードを液晶表示画面に被せるようにして装着したとき、爪との干渉を回避して保護ボードを液晶表示画面を良好に覆う状態に装着することができる。
【００２５】
ここでその凹部は、板厚方向の貫通孔としておくことができる。またこの凹部は、単に爪との干渉回避のための凹部としておくこともできるし、更に進んでその爪を被係止部としてこれに係止する係止凹部として構成しておくこともできる。
【００２６】
次に請求項４のものは、フレームの左右の側面位置に裏側への曲げ部を設けたもので、このようになしておけば、左右一対の曲げ部によってフレームの左右側面を抱えるような状態で保護ボードを液晶表示画面に装着することができ、装着姿勢をより安定なものとなすことができる。
ここで保護ボードの厚みは１ｍｍ以上、望ましくは２ｍｍ以上としておくことができる。
【００２７】
【実施例】
次に本発明の実施例を図面に基づいて詳しく説明する。
図１において１０はノートパソコンで、１２はキーボードである。キーボード１２にはその板面に多数の操作キー１４が並接されている。
更にこのキーボード１２には、後述する爪２４を係入させる係入孔１６が設けられている。
【００２８】
１８は液晶表示部で、液晶表示画面２０とその周縁のフレーム２２とを含んでいる。
フレーム２２の上部前面からは爪２４が突出している。
この例において、爪２４は左右方向の中央部に設けられている。
この爪２４は、液晶表示画面２０を折り畳んで閉じたときに係入孔１６内に係入し、液晶表示部１８を閉止状態にロックするための爪である。
【００２９】
図１及び図２において、２６は本例の液晶表示画面保護ボード（以下単に保護ボードとする）で、その全体が透明且つ非可撓性の硬質のプラスチック材から成っている。
本例において、この保護ボード２６はその厚みが３ｍｍとされている。
【００３０】
この保護ボード２６には、その上端に裏側への直角の折曲げ部（係止部）３０が一体に設けられており、更に右端と左端とには同じく裏側への直角の折曲げ部３６が設けられている。
この例において、保護ボード２６は左右方向の幅が液晶表示部１８の左右方向の幅よりも僅かに大きくされており、左右一対の折曲げ部３６が、液晶表示部１８におけるフレームの左右の側面に被さるようになっている。
【００３１】
また上端の折曲げ部３０がフレーム２２の上面に被さり且つその上面に係止するようになっている。
保護ボード２６は、この折曲げ部３０がフレーム２２の上面に係止することによって、開状態の液晶表示部１８に液晶表示画面２０を覆う状態で装着される。
【００３２】
この例において、保護ボード２６にはまたその上辺に沿って３つの貫通孔３２，３４が設けられている。
ここで貫通孔３２は、フレーム２２から突出する前述の爪２４を挿入させるための貫通孔で、爪２４に対応した左右方向の中央位置に設けられている。
【００３３】
また他の貫通孔３４は、保護ボード２６の右部と左部とに設けられており、且つその形状は左右方向の長孔とされている。
ノートパソコンには、フレーム２２の左右方向の中央部に爪２４があるタイプのものと、右部と左部とに一対の爪２４を備えたタイプのものとがあり、その何れに対しても対応できるようにここでは保護ボード２６の中央部と右部及び左部とに貫通孔３２，３４が設けられている。
【００３４】
本例において、これら貫通孔３２，３４は爪２４を挿入させることによって、保護ボード２６と爪２４とが干渉するのを避けるために設けられている。
但しこれら貫通孔３２，３４を、爪２４に係止する係止凹部として構成しておくこともできる。
【００３５】
本例の保護ボード２６は次のようにして使用する。
即ち、図３及び図４に示しているように液晶表示画面２０を開いたところで、これに保護ボード２６を被せるようにし、そして上端の折曲げ部３０をフレーム２２の上面に載せてこれに係止する。
ここにおいて保護ボード２６全体がフレーム２２の上面にて支持された状態となり、保護ボード本体２８が液晶表示画面２０を前面側から覆った状態となる。
【００３６】
このとき、保護ボード２６の左右一対の折曲げ部３６もまたフレーム２２の側面に被った状態となる。
またフレーム２２の上部前面から突出する爪２４が、中央部の貫通孔３２内に挿入され、保護ボード２６と爪２４との干渉が回避される。
【００３７】
一方液晶表示画面２０を閉じるときには、貫通孔３２を爪２４から抜き出すようにして保護ボード２６を液晶表示画面２０から取り外す。
このとき、保護ボード２６は単に折曲げ部３０においてフレーム２２の上面に係止しているだけであるので、簡単にこれを液晶表示画面２０から取り外すことができる。
【００３８】
かかる本例の保護ボード２６は、非可撓性の硬質のプラスチック製の部材であるため、液晶表示画面２０に加えられる外力や衝撃等からかかる液晶表示画面２０を十分に保護して、それら外力や衝撃等によって液晶表示画面２０が傷付いたり破損したりするのを良好に防止することができる。
【００３９】
またこの保護ボード２６は、液晶表示画面２０を開いた段階で使用時のみこれに装着して保護するものであり、そのためかかる保護ボード２６を厚みが厚く高強度の部材となすことができ、外力や衝撃から液晶表示画面２０を有効に保護することができる。
【００４０】
また液晶表示画面２０を開いた状態でこれを取り付けて保護するものであるため、かかる保護ボード２６を液晶表示画面２０よりも大きく、即ちフレーム２２に到るまでの大きさで形成することもできる。
【００４１】
また液晶表示画面２０に装着状態のまま、液晶表示画面２０が閉じられるようにするための特別の工夫をする必要がないしそれにより受ける制限もなく、それ故取付構造を簡単な構造となして着脱を簡単に行うことが可能となる。
【００４２】
本例ではまた、フレーム２２の左右の側面位置に裏側への折曲げ部３６を設けていることから、それら左右一対の折曲げ部３６によって、フレーム２２の左右側面を抱えるような状態で保護ボード２６を液晶表示画面２０に装着でき、装着姿勢をより安定なものとなすことができる。
【００４３】
更に本例の保護ボード２６は、４周の１辺を除いてその３辺に折曲げ部が設けられていて、全体として浅い容器状をなしており、図５に示しているようにノートパソコン１０を折り畳んで持ち運びする際、その全体をノートパソコン１０に被せるようにして保護ボード２６ごとノートパソコン１０を持ち運びできる利点を有している。
【００４４】
即ち保護ボード２６をノートパソコン１０と一緒にコンパクトに持ち運びできるのであり、従って持ち運んだ先でノートパソコン１０を使用する際、保護ボード２６を開いた液晶表示部１８に装着して液晶表示画面２０を保護状態とし、ノートパソコン１０を使用することができる。
【００４５】
以上本発明の実施例を詳述したがこれはあくまで一例示であり、本発明は場合によって折曲げ部３０を省略し、貫通孔３２，３４を爪２４に係止させて保護ボード２６を装着状態に保持するようになすことも可能である。
【００４６】
また場合によって保護ボード２６を更に板厚の厚いもので構成するなどの場合において、爪２４を挿入させる凹部を非貫通形態で設けるといったことも可能であるなど、本発明はその趣旨を逸脱しない範囲において種々変更を加えた形態で構成可能である。
【図面の簡単な説明】
【図１】本発明の一実施例である液晶表示画面保護ボードをノートパソコンとともに示す図である。
【図２】同実施例の液晶表示画面保護ボードを単品状態で示す図である。
【図３】同実施例の液晶表示画面保護ボードを装着状態で示す一部切欠側面図である。
【図４】同実施例の液晶表示画面保護ボードを装着状態で示す正面図である。
【図５】同実施例の液晶表示画面保護ボードの利点の説明図である。
【符号の説明】
１０  ノートパソコン
２０  液晶表示画面
２２  フレーム
２４  爪
２６  液晶表示画面保護ボード
３０  折曲げ部（係止部）
３２  貫通孔
３４  貫通孔
３６  折曲げ部
【図１】
2005024753.tif 000003
【図２】
2005024753.tif 000004
【図３】
2005024753.tif 000005
【図４】
2005024753.tif 000006
【図５】
2005024753.tif 000007